(57)【要約】【課題】コネクタ端子構造において同軸ケーブルとのインピーダンス整合性を向上し、クロストロークを小さくする。【解決手段】コネクタ端子構造１は、中心導体３とこの中心導体３の外周を被覆するケーブル絶縁層５とからなる同軸ケーブル７の前記中心導体３を接続するコネクタ端子９における構造であり、前記コネクタ端子９が、前記中心導体３を挿入する接続穴部１１を有する円筒状の端子部１３と、この端子部１３の外周に設けた外形が円形状のインピーダンス調整された端子絶縁層１５と、で構成されることを特徴とする。【選択図】図１
2009134997.tif 000002
【特許請求の範囲】
【請求項１】
中心導体とこの中心導体の外周を被覆するケーブル絶縁層とからなる同軸ケーブルの前記中心導体を接続するコネクタ端子におけるコネクタ端子構造において、
前記コネクタ端子が、前記中心導体を挿入する接続穴部を有する円筒状の端子部と、この端子部の外周に設けた外形が円形状のインピーダンス調整された端子絶縁層と、で構成されることを特徴とするコネクタ端子構造。
【請求項２】
複数の前記コネクタ端子が並列して一体的に構成されていることを特徴とする請求項１記載のコネクタ端子構造。
【請求項３】
前記端子絶縁層の外周に、遮断効果を有するシールド層を設けてなることを特徴とする請求項１又は２記載のコネクタ端子構造。
【発明の詳細な説明】
【技術分野】
【０００１】
この発明は、コネクタ端子構造に関し、特にスーパーコンピュータ間、および大容量高速サーバ間のデータ伝送用として使用される高速伝送用同軸ケーブルを接続するコネクタ端子構造に関する。
【背景技術】
【０００２】
従来、高速伝送用同軸ケーブルを接続するコネクタ端子構造は、高速伝送を目的とするアセンブリであり、ケーブル口出し部分とコネクタ端子との接続点において半田付けや溶接などの接合がなされている。このようなコネクタ端子の形状はフラットであり、接続の際には前記コネクタ端子の上に前記口出しした導線を配置し、半田付けもしくは溶接を行っている。
【０００３】
ところで、同軸ケーブルは伝送経路となるので伝送効率の向上を図るためにケーブル全長にわたって特性インピーダンスの整合性が図られている。もし、特性インピーダンスの整合性が図られていない部分があると、信号の反射により伝送効率が低下したり、ノイズが発生したりするなどの問題が生じやすくなる。しかし、同軸ケーブルをコネクタ端子に接続するには上述したようにケーブル口出し部分で導体の露出部が生じるために特性インピーダンスの整合性が悪くなる事態が生じる。
【０００４】
上記の特性インピーダンスの整合性の悪化を防止して伝送効率等の向上を図ることを目的として、例えば、特許文献１では、ケーブルが芯線導体と芯線シースからなるケーブル芯線を有しており、このケーブルの先端部を口出しにより露出させたケーブル芯線の芯線導体を、電気コネクタのコンタクトに接続する電気コネクタに対するケーブルの接続構造では、ケーブル芯線の露出部の少なくとも一部を覆うように、空気を含入する誘電体を配設している。この誘電体は発泡スチロール、ウレタン等の多孔質樹脂材料が用いられており、この多孔質樹脂材料からなるシートで前記ケーブル芯線の露出部に巻き付けるか、あるいは２枚のシートで挟み込んで、前記露出部を覆っている。
【特許文献１】特開２００４−２３６４３８号公報
【発明の開示】
【発明が解決しようとする課題】
【０００５】
ところで、従来のコネクタ端子構造においては、コネクタ自体はインピーダンス設計を行なっているが、ケーブル口出し部分とコネクタ端子との半田付けや溶接などの接続部分に関しては、導体が露出している状態（絶縁・シールドなしの状態）の端子構造では同軸ケーブルとのインピーダンスの整合性が悪いものであった。そのために、信号の反射が起こり、信号の減衰が大きくなるという問題点があった。
【０００６】
また、半田付け（接合）のときは、半田量の過多などが原因でクロストロークが大きくなったり、ばらついたりするという問題点があった。また、溶接接合の場合は、溶融による中心導体の潰れなどが原因で、同様の現象が生じる。
【０００７】
また、特許文献１では、多孔質樹脂材料からなるシートの誘電体でケーブル芯線の露出部に巻き付けるか、あるいは２枚のシートで挟み込んで覆うことでインピーダンスの整合性が向上するとしても、半田付け（接合）や溶接接合による前述したようなクロストロークに係わる問題点を解消することができない。
【０００８】
この発明は、コネクタ端子構造において同軸ケーブルとのインピーダンス整合性を向上し、クロストロークを小さくすることを目的とする。
【課題を解決するための手段】
【０００９】
上記の課題を解決するために、この発明のコネクタ端子構造は、中心導体とこの中心導体の外周を被覆するケーブル絶縁層とからなる同軸ケーブルの前記中心導体を接続するコネクタ端子におけるコネクタ端子構造において、
前記コネクタ端子が、前記中心導体を挿入する接続穴部を有する円筒状の端子部と、この端子部の外周に設けた外形が円形状のインピーダンス調整された端子絶縁層と、で構成されることを特徴とするものである。
【００１０】
また、この発明のコネクタ端子構造は、前記コネクタ端子構造において、複数の前記コネクタ端子が並列して一体的に構成されていることが好ましい。
【００１１】
また、この発明のコネクタ端子構造は、前記コネクタ端子構造において、前記端子絶縁層の外周に、遮断効果を有するシールド層を設けていることが好ましい。
【発明の効果】
【００１２】
以上のごとき課題を解決するための手段から理解されるように、この発明によれば、同軸ケーブルの中心導体は円筒状の端子部の接続穴部に接続され、かつ前記端子部の外側にはインピーダンス調整された端子絶縁層を有するので、同軸ケーブルとのインピーダンス整合が向上する。その結果、信号の反射が減少し、信号の衰退も少なくなる。また、中心導体は常に端子部の内側にあるので、隣り合う同軸ケーブルの中心導体との距離が変化しないため、クロストロークが小さくなる。
【発明を実施するための最良の形態】
【００１３】
以下、この発明の実施の形態について図面を参照して説明する。
【００１４】
図１ないしは図３を参照するに、この実施の形態に係るコネクタ端子構造１は、中心導体３と、この中心導体３の外周を被覆するケーブル絶縁層５とからなる高速伝送用同軸ケーブル７（以下、単に「同軸ケーブル」という）の前記中心導体３を接続するものである。すなわち、コネクタ端子９は、前記中心導体３を挿入する接続穴部１１を有する円筒状の端子部１３と、この端子部１３の外周に設けた外形が円形状のインピーダンス調整された端子絶縁層１５と、で構成されるものである。換言すれば、コネクタ端子９の形状を同軸ケーブル７と同様に円柱状にして端子絶縁層１５を設けたことが特徴である。
【００１５】
なお、端子絶縁層１５の絶縁材料は、同軸ケーブル７とのインピーダンスが合うように材質と直径を調整する。また、端子部１３の材料としては、リン青銅などの銅系材料が好ましい。
【００１６】
この実施の形態の同軸ケーブル７は、インピーダンス設計が例えば５０Ωの直径約０．４ｍｍ（ＡＷＧ２６）の中心導体３で、ケーブル絶縁層５の直径が例えばφ１．３ｍｍである。なお、ＡＷＧとは、American Wire Gaugeの略であり、導体の太さを示すために広く用いられている。
【００１７】
この同軸ケーブル７の場合、コネクタ端子９の円筒状の端子部１３の肉厚を０．１ｍｍとすると、図３に示されているように、端子部１３の外径ｄは約０．６ｍｍとなり、中心導体３と端子部１３の接続部分においては中心導体３の直径が端子部１３の肉厚分がプラスされて太くなった同軸ケーブル７と仮定して、コネクタ端子９の側の端子絶縁層１５の厚みをコントロールすることで、同軸ケーブル７とのインピーダンス整合性を図るものである。例えば、比誘電率εが２．１のＰＦＡ樹脂からなる端子絶縁層１５では、その直径Ｄはおよそφ２．０ｍｍとすることが望ましい。なお、ＰＦＡ樹脂は、テフロン（登録商標）樹脂の一種であり、「テトラフルオロエチレン・パーフルオロアルキルビニルエーテル共重合体」のことである。端子絶縁層１５としては、他の材質であっても良い。
【００１８】
口出しされた同軸ケーブル７の中心導体３をコネクタ端子９の端子部１３の接続穴部１１へ差し込むと、中心導体３は接続穴部１１に嵌合し、半田付けもしくは溶接、圧入などで接続される。
【００１９】
以上のことから、同軸ケーブル７の中心導体３の口出し部分は、円筒状の端子部１３の接続穴部１１に接続され、かつ前記端子部１３の外側にはインピーダンス調整された端子絶縁層１５を有するので、同軸ケーブル７とのインピーダンス整合が向上する。その結果、信号の反射が減少し、信号の衰退も少なくなる。
【００２０】
また、前述した実施の形態のコネクタ端子９は、図４に示されているように、複数のコネクタ端子９を並列に一体化することで、複数の同軸ケーブル７に対応することができる。
【００２１】
このように複数のコネクタ端子９を並列した場合、中心導体３は常に円筒状の端子部１３の内側にあるので、隣り合う同軸ケーブル７の中心導体３との距離が変化しないため、クロストロークを小さくすることができる。
【００２２】
図５を参照するに、この発明の他の実施の形態のコネクタ端子構造１７としては、コネクタ端子１９は、前述した実施の形態のコネクタ端子９の前記端子絶縁層１５の外周に、遮断効果を有するシールド層２１を設けることで、より一層クロストロークを小さくする点で効果を上げることができる。
【図面の簡単な説明】
【００２３】
【図１】この発明の実施の形態のコネクタ端子構造を示す斜視図である。
【図２】図１の縦断面図である。
【図３】図２の矢視ＩＩＩ−ＩＩＩ線の断面図である。
【図４】図１のコネクタ端子を複数個を並列に一体的に設けたコネクタ端子構造を示す斜視図である。
【図５】この発明の他の実施の形態のコネクタ端子構造を示す断面図である。
【符号の説明】
【００２４】
１  コネクタ端子構造
３  中心導体
５  ケーブル絶縁層
７  同軸ケーブル（高速伝送用同軸ケーブル）
９  コネクタ端子
１１  接続穴部
１３  端子部
１５  端子絶縁層
１７  コネクタ端子構造
１９  コネクタ端子
２１  シールド層
【図１】
2009134997.tif 000003
【図２】
2009134997.tif 000004
【図３】
2009134997.tif 000005
【図４】
2009134997.tif 000006
【図５】
2009134997.tif 000007